(57)【要約】【課題】封止性を損なうことなく、風止め部材の外障子との封止部分を省略することができる引違い窓の下枠構造を提供することを課題とする。【解決手段】閉塞状態の外障子３および内障子４の召合せ部Ｇが臨む下枠Ｂの平坦部３４に、外障子３および内障子４間の間隙を封止する風止め部材６０を設けた引違い窓の下枠構造において、平坦部３４の屋外側に連なる下枠Ｂの垂下部６２に装着され、閉塞状態の外障子３の下框５２に密接する下シール部材６４を、風止め部材６０に密接すると共に風止め部材６０に対し見付け方向に重なるように延長したものである。【選択図】  図４
2004300768.tif 000002
【特許請求の範囲】
【請求項１】
閉塞状態の外障子および内障子の召合せ部が臨む下枠の平坦部に、前記外障子および前記内障子間の間隙を封止する風止め部材を設けた引違い窓の下枠構造において、
前記平坦部の屋外側に連なる前記下枠の垂下部に装着され、閉塞状態の前記外障子の下框に密接する下シール部材を、前記風止め部材に密接すると共に前記風止め部材に対し見付け方向に重なるように延長したことを特徴とする引違い窓の下枠構造。
【請求項２】
前記下シール部材は、前記垂下部の上端部に形成したあり溝に装着され、
前記下枠は、前記重なり部分に面して、前記あり溝の上片を切り欠いた切欠き部を有し、
前記風止め部材は、前記切欠き部に臨んで上側から前記下シール部材に密接していることを特徴とする請求項１に記載の引違い窓の下枠構造。
【請求項３】
前記下枠は、金属製の下枠本体と、前記下枠本体の屋内側露出部分を覆うと共に前記下枠本体に着脱自在に装着された樹脂下枠とで構成され、
前記風止め部材は、前記樹脂下枠に取り付けられていることを特徴とする請求項１または２に記載の引違い窓の下枠構造。
【請求項４】
請求項１、２または３に記載の引違い窓の下枠構造を備えたことを特徴とする引違い窓。
【発明の詳細な説明】
【０００１】
【発明の属する技術分野】
本発明は、外障子および内障子間の間隙を封止する風止め部材を設けた引違い窓の下枠構造およびこれを備えた引違い窓に関するものである。
【０００２】
【従来の技術】
従来の引違い窓では、閉塞状態の外障子および内障子の召合せ部が臨む、下枠の平坦部とこの平坦部の屋外側に連なる垂下部に亘って、前記外障子および前記内障子間の間隙を封止する風止め部材が設けられている。また、垂下部に装着され、閉塞状態の前記外障子の下框に密接する下シール部材の小口端が、風止め部材の側面に突き当てられている（例えば、特許文献１参照）。風止め部材には、内障子の屋外側下端面に密接する上向き封止部に複数枚の上向き風止め片が形成されると共に、外障子の屋内側下側面に密接する外向き封止部に複数枚の外向き風止め片が形成されている。
【０００３】
【特許文献１】
特開平１１−２８０３５４号公報（第４頁、図６および図７）
【０００４】
【発明が解決しようとする課題】
このような、従来の引違い窓では、その風止め部材に、内障子との間を封止する上向き封止部と外障子との間を封止する外向き封止部とを形成する必要があり、風止め部材の形状および構造が複雑になる問題があった。
【０００５】
本発明は、封止性を損なうことなく、風止め部材の外障子との封止部分を省略することができる引違い窓の下枠構造およびこれを備えた引違い窓を提供することをその課題としている。
【０００６】
【課題を解決するための手段】
本発明の引違い窓の下枠構造は、閉塞状態の外障子および内障子の召合せ部が臨む下枠の平坦部に、外障子および内障子間の間隙を封止する風止め部材を設けた引違い窓の下枠構造において、平坦部の屋外側に連なる下枠の垂下部に装着され、閉塞状態の外障子の下框に密接する下シール部材を、風止め部材に密接すると共に風止め部材に対し見付け方向に重なるように延長したことを特徴とする。
【０００７】
この構成によれば、外障子の下框に密接する下シール部材を、風止め部材に密接すると共に、風止め部材に対し見付け方向に重なるように延長しているため、下シール部材の重なり部分が、風止め部材に密接すると共に外障子の召合せ框に密接することになる。すなわち、下シール部材の重なり部分が、従来の風止め部材の外向き封止部の機能を奏することになり、封止性能を維持しつつ風止め部材の外向き封止部を省略することができる。
【０００８】
この場合、下シール部材は、垂下部の上端部に形成したあり溝に装着され、下枠は、重なり部分に面して、あり溝の上片を切り欠いた切欠き部を有し、風止め部材は、切欠き部に臨んで上側から下シール部材に密接していることが、好ましい。
【０００９】
この構成によれば、切欠き部により、この部分から劣化或いは損傷した下シール部材を簡単に交換することができる。また、風止め部材が、切欠き部に臨んで上側から下シール部材に密接しているため、下シール部材の端部（重なり部分）を適切に押さえておくことができる。
【００１０】
これらの場合、下枠は、金属製の下枠本体と、下枠本体の屋内側露出部分を覆うと共に下枠本体に着脱自在に装着された樹脂下枠とで構成され、風止め部材は、樹脂下枠に取り付けられていることが、好ましい。
【００１１】
この構成によれば、樹脂下枠と共に風止め部材を下枠本体から取り外すことにより、風止め部材の交換および下シール部材の交換を容易に行うことができる。また、金属製の下枠本体に、風止め部材用の取付け部位を形成する必要がなく、下枠本体の加工を極力少なくすることができる。
【００１２】
本発明の引違い窓は、上記した引違い窓の下枠構造を備えたことを特徴とする。
【００１３】
この構成によれば、封止性を損なうことなく、風止め部材の構造を単純化することができ、全体としてコストダウンを達成することができる。
【００１４】
【発明の実施の形態】
以下、添付図面を参照して、本発明の一実施形態に係る下枠構造を備えた引違い窓について説明する。この引違い窓は、屋内側の見えがかり部分に樹脂材を組み込み且つ屋内外の中間（下枠のみ）に断熱材をサンドイッチしたものであり、屋内側の意匠性を考慮すると共に、屋内外間の断熱性を考慮したものである。図１ないし図３に示すように、引違い窓１は、窓枠２に、屋外側の外障子３、屋内側の内障子４および網戸５を開閉自在に組み込んで構成されている。
【００１５】
窓枠２は、アルミニウム形材の金属枠１１と、金属枠１１の屋内側に添設した樹脂製の装飾枠１２とで構成されている。すなわち、上枠Ａ、下枠Ｂおよび両縦枠Ｃ，Ｃから成る窓枠２は、屋外側の金属枠１１と屋内側の装飾枠１２とで構成されている。一方、内外各障子３，４は、アルミニウム形材の金属框１５と、金属框１５の屋内側に添設した樹脂製の装飾框１６と、これら框体１４に組み込んだ複層ガラス等のパネル体１７で構成されている。すなわち、上框Ｄ、下框Ｅ、戸先縦框Ｆおよび召合せ縦框Ｇから成る内外各障子３，４の框体１４は、屋外側の金属框１５と屋内側の装飾框１６とで構成されている。
【００１６】
金属枠１１は、金属上枠２１、金属下枠２２および左右の両金属縦枠２３，２３を方形に枠組みして構成され、また金属下枠２２は、中間に樹脂製の断熱材２４を挟んで外側金属下枠２２Ａと内側金属下枠２２Ｂとで構成されている。金属上枠２１には、下向きの外側上レール２５および網戸上レール２６が形成され、外側金属下枠２２Ａには、上向きの外側下レール２７および網戸下レール２８が形成されている。同様に、内側金属下枠２２Ｂには、上向きの内側下レール２９が形成されている。
【００１７】
また、金属上枠２１の外側上レール２５の位置から屋内端を越えて樹脂上カバー枠３１が設けられ、また樹脂上カバー枠３１の下面に金属カバー枠３２が設けられている。そして、抱き合わせるようにして垂設した樹脂上カバー枠３１の垂下片と金属カバー枠３２の垂下片とにより、下向きの内側上レール３３が形成されている。同様に、断熱材２４を跨いで外側金属下枠２２Ａおよび内側金属下枠２２Ｂ間に渡すように、樹脂中間カバー枠３４が設けられ、また内側下レール２９から屋内側端までの内側金属下枠２２Ｂの上面を覆うように樹脂下カバー３５が設けられている。
【００１８】
装飾枠１２は、装飾上枠４１、装飾下枠４２、左装飾縦枠４３および右装飾縦枠４４を方形に枠組みして構成されている。装飾上枠４１は、上記の樹脂上カバー枠３１と一体に形成されている。また、左装飾縦枠４３は幅広に形成され、見込み方向において、金属縦枠２３と重なるようして外障子３に位置まで延設している。
【００１９】
一方、内外各障子３，４の金属框１５は、金属上框５１、金属下框５２、金属戸先縦框５３および金属召合せ縦框５４を方形に框組みして構成されている。同様に、装飾框１６は、装飾上框５６、装飾下框５７、装飾戸先縦框５８および装飾召合せ縦框５９を方形に框組みして構成されている。但し、外障子３の装飾召合せ縦框は省略され、内障子４の装飾召合せ縦框５９は、断面略「Ｌ」字状に形成され金属召合せ縦框５４の端面も覆っている。
【００２０】
そして、外障子３の召合せ縦框（金属召合せ縦框５４）Ｇと内障子４の召合せ縦框（金属召合せ縦框５４）Ｇが臨む下枠（下枠本体）Ｂの平坦部、すなわち、上記の樹脂中間カバー枠３４の部分には、外障子３および内障子４間の間隙を封止する風止め部材６０が配設されている。この場合、樹脂中間カバー枠（樹脂下枠）３４は、風止め部材６０の位置で切断されており、外障子３側の半部となる樹脂中間カバー枠３４ａに、風止め部材６０が取り付けられている（図６参照）。
【００２１】
次に、図４ないし図６を参照して、風止め部材６０および風止め部材６０廻りの構造について、詳細に説明する。外側金属下枠２２Ａと内側金属下枠２２Ｂとの間には断熱材２４が介設されており、この断熱材２４の上側に、外側金属下枠２２Ａの屋内側端部と内側金属下枠２２Ｂの屋外側端部との間に渡すように樹脂中間カバー枠３４が設けられている。樹脂中間カバー枠３４は、屋外側を立下げ片３７ａとし屋内側を立上げ片３７ｂとして僅かに傾斜した上ベース部３７と、屋内側に向かって「Ｌ」状に形成された下支持部３８と、で一体に形成されている。
【００２２】
そして、樹脂中間カバー枠３４は、この立上げ片３７ｂおよび下支持部３８の先端部を、それぞれ内側下レール２９の中間部および基部に係止するようにして、内側金属下枠２２Ｂに着脱自在に取り付けられている。なお、図示しないが、立上げ片３７ｂの一部が数箇所切り欠かかれており、この切欠き部を利用して樹脂中間カバー枠３４を内側金属下枠２２Ｂから取り外すことができるようになっている。
【００２３】
一方、樹脂中間カバー枠３４の屋外側に連なる外側金属下枠２２Ａの水返し部（垂下部）６２には、その上端部に位置して外向きのあり溝６３が形成されており、このあり溝６３には、下シール部材６４が装着されている。この場合、下シール部材６４は、外障子３の金属下框（下框Ｅ）５２に密接すべく、金属下框５２の外障子３側（見付け方向）の半部にのみ設けられている。そして、下シール部材６４の内障子４側（見付け方向）の端部に面して、あり溝６３の上片が切りかかれており、この外側金属下枠２２Ａの切欠き部６３ａには、風止め部材６０が上側から臨んでいる。
【００２４】
図４および図７に示すように、風止め部材６０は、水平片７２および垂直片７３から成る断面「Ｌ」字状の部材本体７１と、水平片７２の上面に立設した複数枚の風止め片７４と、水平片７２の下方にこれに平行に形成した挟込み片７５と、垂直片７３の下部に見込み方向外側に突設したシール押え片７６とを有し、樹脂等で一体に形成されている。また、シール押え片７６は、見付け方向に水平に延びる押え片本体７７と、樹脂中間カバー枠３４ａの端面に当接する上向きの枠当接片部７８と、下シール部材６４の端面に当接する下向きのシール当接片部７９とを有している。なお、押え片本体７７は、あり溝６３の上片と同一断面形状に形成されている。
【００２５】
このように構成された風止め部材６０は、外障子３側の樹脂中間カバー枠３４ａの端部（上ベース部３７）を、水平片７２と挟込み片７５との間に挟み込み、且つ樹脂中間カバー枠３４の端部（立下げ片３７ａ）に枠当接片部７８を当接するようにして、樹脂中間カバー枠３４ａに取り付けられている。また、この状態で、シール押え片７６の押え片本体７７は、下シール部材６４の端部を密接するようにして押さえ、且つシール当接片部７９は、下シール部材６４の端部に当接している。
【００２６】
このように、風止め部材６０は、そのシール押え片７６の部分で、下シール部材６４に対し密接し且つ見付け方向に重なる（オーバーラップする）ように配設されている。このため、この重なり部分が、外障子３の召合せ縦框（金属召合せ縦框５４）Ｇに密接することになり、従来の風止め部材のような外向きの風止め片を省略することができる。
【００２７】
また、下シール部材６４の端部が臨むように、外側金属下枠２２Ａに切欠き部６３ａを形成しているため、この部分から下シール部材６４を簡単に交換することができる。すなわち、内側金属下枠２２Ｂから樹脂中間カバー枠３４ａを外すことで、これと一緒に風止め部材６０を取り外すことができ、この状態で、切欠き部６３ａの部分から下シール部材６４を交換することができる。もちろん、風止め部材６０も簡単に交換することができる。
【００２８】
【発明の効果】
以上のように、本発明の引違い窓の下枠構造および引違い窓によれば、下シール部材の重なり部分が、従来の風止め部材の外向き封止部の機能を奏することになるため、封止性能を維持しつつ風止め部材の外向き封止部を省略することができ、風止め部材を単純な構造にすることができる。したがって、封止性能を損なうことなく、コストダウンを達成することができる。
【図面の簡単な説明】
【図１】本発明の一実施形態に係る引違い窓の姿図である。
【図２】実施形態に係る引違い窓の縦断面図である。
【図３】実施形態に係る引違い窓の横断面図である。
【図４】風止め部材廻りの拡大縦断面図である。
【図５】風止め部材廻りの斜視図である。
【図６】風止め部材廻りの分解斜視図である。
【図７】風止め部材の構造図である。
【符号の説明】
１  引違い窓、２  窓枠、３  外障子、４  内障子、２２  金属下枠、２２Ａ外側金属下枠、２２Ｂ  内側金属下枠、３４，３４ａ  樹脂中間カバー枠、５２  金属下框、５４  金属召合せ縦框、６０  風止め部材、６２  水返し部、６３  あり溝、６３ａ  切欠き部、６４  下シール部材、７６  シール押え片、Ｂ下枠、Ｇ  召合せた縦框
【図１】
2004300768.tif 000003
【図２】
2004300768.tif 000004
【図３】
2004300768.tif 000005
【図４】
2004300768.tif 000006
【図５】
2004300768.tif 000007
【図６】
2004300768.tif 000008
【図７】
2004300768.tif 000009